(57)【要約】【課題】７セグメント表示器における新規な図柄変動表示を提案すること。【解決手段】７セグメント表示器において、セグメント発光体が配設された平面の背後であって、該平面の前記セグメント発光体の外周で囲まれる表示領域の中心を通る平面に直交する法線上で、かつ平面から表示領域の縦方向の寸法の半分の距離にあたる点を仮想中心とし、表示領域の横方向に平行で仮想中心を通る直線を仮想軸線とする。表示領域に表示した図柄を仮想軸線回りに９０度ずつ仮想回転させる毎に平面から前記図柄を見た部分に相当するセグメント発光体を発光させて図柄の変動表示を行う。【選択図】              図５
2004267533.tif 000002
【特許請求の範囲】
【請求項１】
一平面上において、横方向に向けた３つの棒状のセグメント発光体を縦方向に等間隔に配置し、前記３つの棒状のセグメント発光体の各々の端部間に、それぞれ棒状のセグメント発光体を配置してなる７セグメント表示器で構成した図柄表示部により、図柄の変動表示を行う遊技機において、
前記セグメント発光体が配設された平面の背後であって、該平面の前記セグメント発光体の外周で囲まれる表示領域の中心を通る前記平面に直交する法線上で、かつ前記平面から前記表示領域の横方向の寸法の半分の距離にあたる点を仮想中心とし、前記表示領域の縦方向に平行で前記仮想中心を通る直線を仮想軸線とし、前記表示領域に表示した図柄を前記仮想軸線回りに９０度ずつ仮想回転させる毎に前記平面から前記図柄を見た部分に相当するセグメント発光体を発光させて図柄の変動表示を行う図柄変動制御手段を備えたことを特徴とする遊技機。
【発明の詳細な説明】
【０００１】
【発明の属する技術分野】
本発明は、所謂、７セグメント表示器で構成した図柄表示部により図柄の変動表示を行う遊技機に関する。
【０００２】
【従来の技術】
所謂、７セグメント表示器といわれている図柄表示部において、図柄の変動表示を行う遊技機が広く知られている（例えば、特許文献１参照）。なお、本発明において７セグメント表示器とは、一平面上において、横方向に３つの棒状のセグメント発光体を縦方向に等間隔に配置し、３つの棒状のセグメント発光体の各々の端部間に、それぞれ棒状のセグメント発光体を配置してなるものをいう。７セグメント表示器による図柄の変動表示は、例えば、異なる数字を１つ１つ切り換えて表示する可変表示や、上記特許文献１に記載されるように、セグメント表示単位を一定時間間隔で隣接するセグメント単位でシフトさせて回転表現する、所謂、例えば、図柄が上から下にスクロールする可変表示が行われているが、これら従来周知の図柄変動表示は、遊技者は見慣れてしまっているため、今一つ面白みが薄いものとなっている。なお、７セグメント表示器は、液晶表示装置やドットマトリクスＬＥＤを用いた表示装置のように表現力の高い図柄表示装置に比べて安価であるため、遊技機の製造コストを低減することができる。
【０００３】
【特許文献１】
特開平５−７６５４号公報（段落０００３−段落０００５）
【０００４】
【発明が解決しようとする課題】
本発明の目的は、７セグメント表示器で構成した図柄表示部において、図柄があたかも回転しているように変動表示することを可能とする遊技機を提供することにある。
【０００５】
【課題を解決するための手段】
請求項１に記載の遊技機は、一平面上において、横方向に向けた３つの棒状のセグメント発光体を縦方向に等間隔に配置し、前記３つの棒状のセグメント発光体の各々の端部間に、それぞれ棒状のセグメント発光体を配置してなる７セグメント表示器で構成した図柄表示部により、図柄の変動表示を行うものであって、上記課題を解決するために、前記セグメント発光体が配設された平面の背後であって、該平面の前記セグメント発光体の外周で囲まれる表示領域の中心を通る前記平面に直交する法線上で、かつ前記平面から前記表示領域の横方向の寸法の半分の距離にあたる点を仮想中心とし、前記表示領域の縦方向に平行で前記仮想中心を通る直線を仮想軸線とし、前記表示領域に表示した図柄を前記仮想軸線回りに９０度ずつ仮想回転させる毎に前記平面から前記図柄を見た部分に相当するセグメント発光体を発光させて図柄の変動表示を行う図柄変動制御手段を備えたことを特徴とする。
【０００６】
なお、請求項１に記載の構成に代え、一平面上において、横方向に向けた３つの棒状のセグメント発光体を縦方向に等間隔に配置し、前記３つの棒状のセグメント発光体の各々の端部間に、それぞれ棒状のセグメント発光体を配置してなる７セグメント表示器で構成した図柄表示部により、図柄の変動表示を行うものであって、前記セグメント発光体が配設された平面の背後であって、該平面の前記セグメント発光体の外周で囲まれる表示領域の中心を通る前記平面に直交する法線上で、かつ前記平面から前記表示領域の縦方向の寸法の半分の距離にあたる点を仮想中心とし、前記表示領域の横方向に平行で前記仮想中心を通る直線を仮想軸線とし、前記表示領域に表示した図柄を前記仮想軸線回りに９０度ずつ仮想回転させる毎に前記平面から前記図柄を見た部分に相当するセグメント発光体を発光させて図柄の変動表示を行う図柄変動制御手段を備えた遊技機としても、上記課題を解決することができる。この構成によれば、セグメント発光体が配設された平面の背後であって、該平面の前記セグメント発光体の外周で囲まれる表示領域の中心を通る平面に直交する法線上で、かつ平面から表示領域の縦方向の寸法の半分の距離にあたる点を仮想中心とし、前記表示領域の横方向に平行で仮想中心を通る直線を仮想軸線とし、表示領域に表示した図柄を仮想軸線回りに９０度ずつ仮想回転させる毎に平面から前記図柄を見た部分に相当するセグメント発光体を発光させて図柄の変動表示を行うので、７セグメント表示器で構成した図柄表示部において、図柄があたかも縦回転しているかように変動表示することができる。
【０００７】
請求項１又は上記構成を備えた遊技機において、前記表示領域に表示した図柄の正面像と、前記図柄を前記仮想軸線回りに９０度又は２７０度仮想回転させた場合に前記平面から前記図柄を見た部分に相当するセグメント発光体を発光させた前記図柄の側面像と、前記図柄を前記仮想軸線回りに１８０度仮想回転させた場合に前記平面から前記図柄を見た部分に相当するセグメント発光体を発光させた前記図柄の裏面像とで、前記セグメント発光体の輝度、明度、色相のうちの少なくとも１つをそれぞれ異ならせる構成とすることがある。
【０００８】
【発明の実施の形態】
以下、本発明の実施の形態を図面を参照して説明する。図１は、本発明の遊技機の一実施形態に係るパチンコ遊技機に配備された制御系統の要部ブロック図である。電源装置７は、ＡＣ２４Ｖから、メイン制御装置１、ランプ・音声制御装置２、表示制御装置３、賞球制御装置４、発射制御装置５、図柄表示装置６の他、払出モータ７、発射モータ９、チューリップソレノイド１０、大入賞口ソレノイド１１、ランプ１２、スピーカ１３等の作動電源を生成して供給するものである。
【０００９】
本実施形態のパチンコ遊技機には、パチンコ遊技の総括的な制御を行うメイン制御装置１と、メイン制御装置１から送信された情報（コマンド）に基いて、ランプ（装飾ランプ、装飾ＬＥＤ、表示ランプ、表示ＬＥＤ等）１２の点灯、点滅等の表示制御及びスピーカ１３から音を出す音声制御を実行するランプ・音声制御装置２と、メイン制御装置１からランプ・音声制御装置２を経由して送信されたコマンドを受けて図柄表示装置６に特別図柄の変動表示を行う表示制御装置３と、メイン制御装置１から送信された情報（払出数コマンド）に基いて払出モータ８を駆動することで賞球の払出制御を行う賞球制御装置４と、タッチセンサ１４の検出信号を条件として、図示しない遊技盤面に向けて遊技球を発射する打球発射装置（図示せず）の発射モータ９の動作制御を行う発射制御装置５とが配備される。
【００１０】
メイン制御装置（主制御部）１は図示しないメイン制御基板に配備される。メイン制御装置１は、パチンコ遊技に関わる総括的な制御を行うための処理実行手段としてのメインＣＰＵと、メインＣＰＵが実行するためのパチンコ遊技全体に関わる遊技制御プログラムや遊技制御プログラムの実行に必要となる予め定めた設定データが格納されているＲＯＭと、随時読み出しおよび書き込みが可能なＲＡＭと、各種入賞検出手段から送られた検出信号及びＲＡＭクリアスイッチ１５の操作信号を受け付けてメインＣＰＵに入力可能とする一方、メインＣＰＵから外部装置に対して制御出力を可能とするための入出力インタフェースと、メインＣＰＵが周辺機器との間でデータ通信を行うための通信インタフェース等を含んで構成されている。なお、メイン制御装置１の具体的な構成については図示を省略する。
【００１１】
前記各種入賞検出手段としては、例えば、遊技盤面に設けられた可変入賞装置の始動入賞口（以下、単に始動口という）へ入賞した遊技球を検出する始動口センサ１６、前記遊技盤面に設定されたゲートへの打球の通過を検出するゲートセンサ１７、図示しない遊技盤面に設けられた大入賞口装置に配備された大入賞口に入賞した遊技球を検出する大入賞口センサ１８、大入賞口内に設けられた特定領域へ入賞した遊技球を検出する特定領域センサ１９等がある。また、ＲＡＭクリアスイッチ１５は、図示していない遊技機裏面に設けられており、電源投入時に係員によって操作されるものである。また、前記外部装置としては、大入賞口を開放させるための大入賞口ソレノイド１１、始動口を拡開させるためのチューリップソレノイド１０等がある。
【００１２】
メイン制御装置１とランプ・音声制御装置２とは、メイン制御装置１からランプ・音声制御装置２への一方向通信のみ可能に接続されている。ランプ・音声制御装置２は、ランプ１２の点灯／点滅等の制御、音声制御、メイン制御装置１から送信されるコマンド受信及び表示制御装置３に対するコマンド送信を行うための処理実行手段としてのランプ・音声制御用ＣＰＵと、ランプ・音声制御用ＣＰＵが実行するためのランプ点灯／点滅に関わる制御プログラム、音声発生に関わる制御プログラム、コマンド受信に関わる制御プログラム及びコマンド送信に関わる制御プログラム、これらの各種制御プログラムの実行に必要となる予め定めた設定データ（ランプの点灯パターン等や音データ）が格納されているＲＯＭと、随時読み出しおよび書き込みが可能なＲＡＭと、ランプ・音声制御用ＣＰＵからの制御出力を可能とするための出力インタフェースと、ランプ・音声制御用ＣＰＵがメイン制御装置１及び表示制御装置３との間でデータ通信を行うための通信インタフェース等を含んで構成されている。なお、ランプ・音声制御装置２の具体的な構成については図示を省略する。
【００１３】
ランプ・音声制御装置２にはランプ１２やスピーカ１３が接続されている。ランプ・音声制御装置２はメイン制御装置１から送信されるコマンド指令に従ってランプ１２を点灯駆動すると共にスピーカ１３より効果音や警報を発生する。また、ランプ・音声制御装置２は、メイン制御装置１から送信されたコマンドを受信すると、受信したコマンドが自己の行う制御に関係するコマンドの場合には、このコマンドを記憶すると共に表示制御装置３に送信する一方、受信したコマンドが自己の行う制御に関係しないコマンドの場合には、このコマンドをそのまま表示制御装置３に送信する。
【００１４】
表示制御装置３は、ランプ・音声制御装置２から送信されたコマンドに応じて図柄表示装置６の表示画面に、特別図柄（この実施形態では、左特別図柄、中特別図柄、右特別図柄の３種類とする）による変動表示を表示制御するものである。なお、表示制御装置３は、請求項１に記載の図柄変動制御手段を含むものである。
【００１５】
賞球制御装置４は、メイン制御装置１から送信された払出数コマンド（賞球１個払出から賞球１５個払出までの１５種類）に基いて払出モータ８を駆動することで賞球の払出制御を行う。また、賞球制御装置４は、メイン制御装置１から送信された払出チェックコマンドを受信すると、メイン制御装置１に対してＡＣＫ信号（承認信号）の送信を行う。
【００１６】
賞球制御装置８は、主として賞球の払出制御、メイン制御装置１から送信されるコマンド受信及びメイン制御装置１に対してＡＣＫ信号（承認信号）の送信を行うための処理実行手段としての払出ＣＰＵと、払出ＣＰＵが実行するための各種制御プログラムが格納されているＲＯＭと、随時読み出しおよび書き込みが可能なＲＡＭと、払出ＣＰＵからの制御出力を可能とするための出力インタフェースと、払出ＣＰＵがメイン制御装置１との間でデータ通信を行うための通信インタフェース等を含んで構成されている。なお、賞球制御装置８の具体的な構成については図示を省略する。なお、発射制御装置５については周知であって、本発明の要旨とは直接に関連しないため、具体的な構成の図示や説明等を省略する。
【００１７】
本実施形態の図柄表示装置６は、一平面上において、横方向に向けた３つの棒状のセグメント発光体を縦方向に等間隔に配置し、３つの棒状のセグメント発光体の各々の端部間に、それぞれ棒状のセグメント発光体を配置してなる７セグメント表示器２０で構成されている（図２参照）。なお、図柄表示装置６は、左特別図柄、中特別図柄、右特別図柄の各々に対応して３つの７セグメント表示器で構成されている。
【００１８】
図２は、図柄表示装置における１つの図柄表示部を構成する７セグメント表示器２０の正面図である。以下、この明細書では、７つの棒状のセグメント発光体をその配置位置に従い、横方向に向けた３つの棒状のセグメント発光体のうち、縦方向の最も上のセグメント発光体を上部セグメント２１、縦方向の中程のセグメント発光体を中部セグメント２２、縦方向の最も下のセグメント発光体を下部セグメント２３ということにする。また、上部セグメント２１の左端部と中部セグメント２２の左端部との間に配置したセグメント発光体を左縦上セグメント２４、中部セグメント２２の左端部と下部セグメント２３の左端部との間に配置したセグメント発光体を左縦下セグメント２５、上部セグメント２１の右端部と中部セグメント２２の右端部との間に配置したセグメント発光体を右縦上セグメント２６、中部セグメント２２の右端部と下部セグメント２３の右端部との間に配置したセグメント発光体を右縦下セグメント２７ということにする。
【００１９】
次に、本発明の図柄変動制御手段による図柄の変動表示について説明する。図３は、実施形態の７セグメント表示器２０における表示領域を示す図である。また、図４は、本発明の請求項１に記載の図柄変動制御手段に係る７セグメント表示器の変動表示を説明するための表示領域の平面図（上から見た図）である。図３に示すように、本発明でいう７セグメント表示器２０における表示領域は、７つのセグメント発光体が配設されている平面の各セグメント発光体の外周で囲まれる領域をさす。また、表示領域の縦方向の寸法をＡ、表示領域の横方向の寸法をＢで表すことにする。
【００２０】
請求項１に記載の図柄変動制御手段に係る７セグメント表示器の変動表示は、図４に示すように、セグメント発光体が配設された平面の背後であって、該平面の表示領域の中心を通る前記平面に直交する法線（図４においては一点鎖線で示されている）上で、かつ前記平面から表示領域の横方向の寸法Ｂの半分の距離にあたる点を仮想中心とする。さらに、表示領域の縦方向に平行で前記仮想中心を通る直線を仮想軸線とする（図４参照）。
【００２１】
図５は、請求項１に記載の図柄変動制御手段に係る７セグメント表示器の図柄の変動表示の一態様を示す図である。図５では図柄「６」を変動表示する場合を一例として説明する。図５（ａ）では表示領域に図柄「６」（正面像）を表示している（上部セグメント２１、中部セグメント２２、下部セグメント２３、左縦上セグメント２４及び左縦下セグメント２５を発光）。
【００２２】
次の表示タイミングで、表示領域に表示した図柄「６」を仮想軸線回りに９０度仮想回転（図５の例では時計回り）させる。この時の平面から図柄「６」を見た部分に相当するセグメント発光体を発光させる。即ち、図５（ｂ）に示すように、平面から図柄「６」の右側面（側面像）を見た部分に相当するセグメント発光体（左縦上セグメント２４及び左縦下セグメント２５）を発光させる。
【００２３】
その次の表示タイミングで、表示領域に表示した図柄「６」を仮想軸線回りにさらに９０度（１８０度）仮想回転させる。この時の平面から図柄「６」を見た部分に相当するセグメント発光体を発光させる。即ち、図５（ｃ）に示すように、平面から図柄「６」の裏面（但し、左右反転）（裏面像）を見た部分に相当するセグメント発光体（上部セグメント２１、右縦上セグメント２６、中部セグメント２２、左縦下セグメント２５、下部セグメント２３及び右縦下セグメント２７）を発光させる。
【００２４】
さらにその次の表示タイミングで、表示領域に表示した図柄「６」を仮想軸線回りにさらに９０度（２７０度）仮想回転させる。この時の平面から図柄「６」を見た部分に相当するセグメント発光体を発光させる。即ち、図５（ｄ）に示すように、平面から図柄「６」の左側面（側面像）を見た部分に相当するセグメント発光体（右縦上セグメント２６及び右縦下セグメント２７）を発光させる。そして、この次の表示タイミングで図５（ａ）の表示領域に図柄「６」（正面像）を表示する。なお、この時、図柄の種類を切り換る（例えば、図柄「６」から次の図柄「７」に切り換える）ようにしてもよい。
【００２５】
以上に説明したように、表示領域の図柄の表示を上述のように所定のタイミングで切り換えると、表示された図柄があたかも仮想軸線を中心にして横回転しているように変動表示することができる。
【００２６】
また、表示領域に表示した図柄の正面像と、図柄を仮想軸線回りに９０度又は２７０度仮想回転させた場合に平面から図柄を見た部分に相当するセグメント発光体を発光させた図柄の側面像と、図柄を仮想軸線回りに１８０度仮想回転させた場合に平面から図柄を見た部分に相当するセグメント発光体を発光させた図柄の裏面像とで、セグメント発光体の輝度、明度、色相のうちの少なくとも１つをそれぞれ異ならせるようにしてもよい。このようにすると、表示が切り換る毎に図柄の輝度、明度、色相のいずれか１つが変わるので、表示の臨場感をより高めることができる。
【００２７】
図５に示す変動表示の一例では、図５（ａ）の図柄「６」の正面像を「階調１００％、赤」で表示し、図５（ｂ）の図柄「６」の右側面像を「階調７５％、青」で表示し、図５（ｃ）の図柄「６」の左右反転裏面像を「階調５０％、暗い青」で表示し、図５（ｄ）の図柄「６」の左側面像を「階調７５％、青」で表示する。
【００２８】
図５に示す図柄の変動表示では、図柄を仮想回転させる仮想軸線を表示領域の縦方向に取り、図柄が横方向に回転しているかのように見せるようにしているが、図柄を仮想回転させる仮想軸線を表示領域の横方向に取ると、図柄が縦方向に回転しているかのように見せることができる。
【００２９】
図６は、本発明の請求項２に記載の図柄変動制御手段に係る７セグメント表示器の変動表示を説明するための表示領域の側面図（横から見た図）である。請求項２に記載の図柄変動制御手段に係る７セグメント表示器の変動表示は、図６に示すように、セグメント発光体が配設された平面の背後であって、該平面の表示領域の中心を通る前記平面に直交する法線（図６においては一点鎖線で示されている）上で、かつ前記平面から表示領域の縦方向の寸法Ａの半分の距離にあたる点を仮想中心とする。さらに、表示領域の横方向に平行で前記仮想中心を通る直線を仮想軸線とする（図６参照）。
【００３０】
図７は、請求項２に記載の図柄変動制御手段に係る７セグメント表示器の図柄の変動表示の一態様を示す図である。図７では図柄「６」を変動表示する場合を一例として説明する。図７（ａ）では表示領域に図柄「６」（正面像）を表示している。次の表示タイミングで、表示領域に表示した図柄「６」を仮想軸線回りに９０度仮想回転（図７の例では時計回り）させる。この時の平面から図柄「６」を見た部分に相当するセグメント発光体を発光させる。即ち、図７（ｂ）に示すように、平面から図柄「６」の下面（底面像）を見た部分に相当するセグメント発光体（下部セグメント２３のみ）を発光させる。
【００３１】
その次の表示タイミングで、表示領域に表示した図柄「６」を仮想軸線回りにさらに９０度（１８０度）仮想回転させる。この時の平面から図柄「６」を見た部分に相当するセグメント発光体を発光させる。即ち、図７（ｃ）に示すように、平面から図柄「６」の裏面（但し、上下反転）（裏面倒立像）を見た部分に相当するセグメント発光体（上部セグメント２１、中部セグメント２２、下部セグメント２３、左縦上セグメント２４、左縦下セグメント２５及び右縦上セグメント２６）を発光させる。
【００３２】
さらにその次の表示タイミングで、表示領域に表示した図柄「６」を仮想軸線回りにさらに９０度（２７０度）仮想回転させる。この時の平面から図柄「６」を見た部分に相当するセグメント発光体を発光させる。即ち、図７（ｄ）に示すように、平面から図柄「６」の上側（上面像）を見た部分に相当するセグメント発光体（下部セグメント２３のみ）を発光させる。そして、この次の表示タイミングで図７（ａ）の表示領域に図柄「６」（正面像）を表示する。なお、この時も、図柄の種類を切り換る（例えば、図柄「６」から次の図柄「７」に切り換える）ようにしてもよい。
【００３３】
以上に説明したように、表示領域の図柄の表示を上述のように所定のタイミングで切り換えると、表示された図柄があたかも仮想軸線を中心にして縦回転しているように変動表示することができる。
【００３４】
本発明の７セグメント表示器による図柄の変動表示を適用した図柄表示装置６における変動表示態様について説明する。図８は、本発明の７セグメント表示器による図柄の変動表示を適用した図柄表示装置６における変動表示態様の一例を示す図である。図８の最上段に示すように、左図柄「６」、中図柄「７」、右図柄「６」のハズレ型から左、中、右図柄を図５に示すように横回転させる。なお、左図柄「６」、中図柄「７」、右図柄「６」の正面像を「階調１００％、赤色」で表示する。図８の２段目は、左、中、右図柄が９０度回転して横（左方向）を向いたイメージを示している。これらの左、中、右図柄の右側面像を「階調７５％、青色」で表示する。図８の３段目は、左、中、右図柄がさらに９０度回転して図柄が奥方に仮想移動し、左図柄「６」、中図柄「７」、右図柄「６」の裏面が見えているイメージを示している。この左右反転裏面像を「階調５０％、暗い青色」で表示する。図８の４段目は、さらに９０度回転して横（右方向）を向いたイメージを示している。これらの左、中、右図柄の右側面像を「階調７５％、青色」で表示する。図８の最下段は、さらに９０度回転して左、中、右図柄が正面になった時、左図柄と右図柄が図柄「６」から図柄「７」に切り換り、左、中、右図柄が「７７７」の大当りとなった状態を示す。これを「階調１００％、赤色」で表示する。
【００３５】
図９は、本発明に直接関係しない図柄表示装置６における変動表示態様の別の一例を示す図である。変動する前や変動中に、光を右から左へと走らせる、即ち、具体的には、図９の最上段では、右図柄（上部セグメント、中部セグメント及び下部セグメント）で光（明るい青）を発光させ、次に、図９の中段に示すように、中図柄（上部セグメント、中部セグメント及び下部セグメント）で光（明るい青）を発光させ、次いで、図９の下段に示すように、左図柄（上部セグメント、中部セグメント及び下部セグメント）で光（明るい青）を発光させる。このことによって、より一層横回転の動きであることを強調する効果があり、迫力をだすことができる。
【００３６】
なお、請求項に記載される発明を解釈するにおいて、「表示領域の中心」、「平面に直交する法線」、「表示領域の横方向の寸法の半分の距離」の表現は、数学的に厳密なもの意味するのではなく、請求項に記載される発明の作用効果を奏する程度のものであれば足り得るものである。
【００３７】
【発明の効果】
請求項１に記載の構成によれば、セグメント発光体が配設された平面の背後であって、該平面の前記セグメント発光体の外周で囲まれる表示領域の中心を通る平面に直交する法線上で、かつ平面から前記表示領域の横方向の寸法の半分の距離にあたる点を仮想中心とし、表示領域の縦方向に平行で仮想中心を通る直線を仮想軸線とし、表示領域に表示した図柄を仮想軸線回りに９０度ずつ仮想回転させる毎に平面から前記図柄を見た部分に相当するセグメント発光体を発光させて図柄の変動表示を行うので、７セグメント表示器で構成した図柄表示部において、図柄があたかも横回転しているかように変動表示することができる。
【図面の簡単な説明】
【図１】本発明の遊技機の一実施形態に係るパチンコ遊技機に配備された制御系統の要部ブロック図
【図２】図柄表示装置における１つの図柄表示部を構成する７セグメント表示器の正面図
【図３】実施形態の７セグメント表示器２０における表示領域を示す図
【図４】本発明の請求項１に記載の図柄変動制御手段に係る７セグメント表示器の変動表示を説明するための表示領域の平面図
【図５】請求項１に記載の図柄変動制御手段に係る７セグメント表示器の図柄の変動表示の一態様を示す図
【図６】別の実施形態の図柄変動制御手段に係る７セグメント表示器の変動表示を説明するための表示領域の側面図
【図７】同上の別の実施形態の図柄変動制御手段に係る７セグメント表示器の図柄の変動表示の一態様を示す図
【図８】本発明の７セグメント表示器による図柄の変動表示を適用した図柄表示装置における変動表示態様の一例を示す図
【図９】実施形態の図柄表示装置における変動表示態様の別の一例を示す図
【符号の説明】
１  メイン制御装置
２  ランプ・音声制御装置
３  表示制御装置
４  賞球制御装置
５  発射制御装置
６  図柄表示装置
７  電源装置
８  払出モータ
９  発射モータ
１０  チューリップソレノイド
１１  大入賞口ソレノイド
１２  ランプ
１３  スピーカ
１４  タッチセンサ
１５  ＲＡＭクリアスイッチ
１６  始動口センサ
１７  ゲートセンサ
１８  大入賞口センサ
１９  特定領域センサ
２０  ７セグメント表示器
２１  上部セグメント
２２  中部セグメント
２３  下部セグメント
２４  左縦上セグメント
２５  左縦下セグメント
２６  右縦上セグメント
２７  右縦下セグメント
【図１】
2004267533.tif 000003
【図２】
2004267533.tif 000004
【図３】
2004267533.tif 000005
【図４】
2004267533.tif 000006
【図５】
2004267533.tif 000007
【図６】
2004267533.tif 000008
【図７】
2004267533.tif 000009
【図８】
2004267533.tif 000010
【図９】
2004267533.tif 000011